(57)【要約】  ドアの底面と床面との隙間に制約されることなく、また、床面の状態に制約されることなく、安全性にも配慮したドアストッパー（１）を提供する。  具体的には、ドアストッパー（１）は、クサビ形状と球形状を併せ持ち、中心軸孔が形成されたボール（２）がクサビ形状の枠体（３）と連結され、立てて使用することでドアの底面と床面との隙間を気にせずにボールに生じる摩擦力を利用したドアストッパーとして、寝かせて使用することで床面の状態を気にせずにクサビ形状の枠体底面に生じる摩擦力を利用したドアストッパーとして機能する。
2008129721.tif 000002
【特許請求の範囲】
【請求項１】
中心軸孔が形成された球形状の第１部材と、
両側面に連結孔が形成され、前記第１部材を回転自在に収容する空隙が形成された、略クサビ形状の第２部材と、
前記中心軸孔に挿入され、前記連結孔にて保持される棒形状の第３部材と、
によって構成されていることを特徴とするドアストッパー。
【請求項２】
前記第１部材の中心を中心点としたときに、前記第２部材の正面は、当該中心点を中心とする略半楕円形状を呈し、前記空隙は、当該中心点を中心とする略半楕円形状を呈することを特徴とする請求項１記載のドアストッパー。
【請求項３】
前記第１部材の径は、前記空隙の前記略半楕円形状の径よりも小さいことを特徴とする請求項１又は２記載のドアストッパー。
【請求項４】
前記第２部材の背面に凹凸の板状体が形成されていることを特徴とする請求項１から３のいずれか記載のドアストッパー。
【発明の詳細な説明】
【技術分野】
【０００１】
本発明は、ドアを任意の位置で制止させるためのドアストッパーに関し、特に、反発力に富み、接したドアとの間に大きな摩擦を生ずる素材よりなるボールとクサビの２つの形状を併せ持つドアストッパーに関するものである。
【背景技術】
【０００２】
従来より、ドアを任意の位置で制止させるためのドアストッパーとして、クサビ形状のドアストッパーと球形状のドアストッパーとが存在する。【０００３】
クサビ形状のドアストッパーは、特許文献１に示すように、ドアの底面と床面との隙間に差し込んでドアを制止するものである。また、球形状のドアストッパーは、特許文献２に示すように、ボールをドア面に置き、床面とドア面との２つの接点に同時に生ずる強い摩擦力によってボールが回転しないことでドアを制止するものである。【０００４】
また、クサビ形状と球形状を併せ持つドアストッパーとして、特許文献３に示すものが存在する。これは、クサビ形状の天板部分に球をくい込ませることで大きな摩擦力を得て、ドアを制止するものである。【０００５】
【特許文献１】実用新案登録第３０３３３５６号公報（図２、図５）
【特許文献２】特開２００４−３１６３９２号公報（図１、明細書［０００５］）
【特許文献３】特開２００４−２１１４８６号公報（図１乃至図３）
【発明の開示】
【発明が解決しようとする課題】
【０００６】
しかしながら、従来のクサビ形状のドアストッパー（特許文献１）では、ドアの底面と床面との隙間が僅かしかない場合、例えば、ドアストッパーの頂角部分の厚みが隙間よりも大きい場合には使用できないという問題がある。また、隙間にドアストッパーを差し込む手間がかかるという問題がある。【０００７】
また、従来の球形状のドアストッパー（特許文献２）は、ドア前に置くだけで簡単にドアを留め置くことが出切る反面、分厚いカーペットや毛足の長いカーペットが敷かれた床、濡れた床又はホコリに覆われた床に使用すると、摩擦力が弱くなるためにボールがスリップしやすく、ドアを留め置くことができないという問題がある。また、ボール単体を床に置くことは、誤ってボールの上に乗り転倒する危険があるという問題がある。【０００８】
さらに、従来のクサビ形状と球形状を併せ持つドアストッパー（特許文献３）は、差し込み部分の先端がドアの底面と床面との隙間よりも大きければ使用できないことから、従来のクサビ形状のドアストッパーと同一の問題があることには変わりがない。また、ボールが天板に固定されていないことから、ボールだけが転がっていき、誤ってボールの上に乗り転倒する危険があることから、従来の球形状のドアストッパーと同一の問題があることには変わりがない。【０００９】
本発明は、このような問題を解決するためになされたものであり、その目的は、ドアの底面と床面との隙間に制約されることなく、また、床面の状態に制約されることなく、安全性にも配慮したドアストッパーを提供することにある。
【課題を解決するための手段】
【００１０】
以上のような課題を解決するために、本発明のドアストッパーは、クサビ形状と球形状を併せ持ち、それぞれの特長を使い分けて使用することができるものであって、中心軸孔が形成されたボールがクサビ形状の枠体に連結され、立てて使用することでドアの底面と床面との隙間を気にせずにボールに生じる摩擦力を利用したドアストッパーとして、寝かせて使用することで床面の状態を気にせずにクサビ形状の枠体底面に生じる摩擦力を利用したドアストッパーとして機能することを特徴とする。【００１１】
より具体的には、本発明は、以下のものを提供する。【００１２】
（１）  中心軸孔が形成された球形状の第１部材と、両側面に連結孔が形成され、前記第１部材を回転自在に収容する空隙が形成された、略クサビ形状の第２部材と、前記中心軸孔に挿入され、前記連結孔にて保持される棒形状の第３部材と、によって構成されていることを特徴とするドアストッパー。【００１３】
（２）  前記第１部材の中心を中心点としたときに、前記第２部材の正面は、当該中心点を中心とする略半楕円形状を呈し、前記空隙は、当該中心点を中心とする略半楕円形状を呈することを特徴とするドアストッパー。【００１４】
（３）  前記第２部材の背面に凹凸の板状体が形成されていることを特徴とするドアストッパー。【００１５】
本発明によれば、様々な床面やドアの底面の隙間の状況に応じて、１つのドアストッパーでクサビ形状と球形状の機能を使い分けることができる。【００１６】
すなわち、第１部材を床面に接触させて立てて使用することで、ドアの底面と床面との隙間が殆どなくても、ドアを任意の位置で制止させることができる。この場合、第１部材がドアストッパーとして、第２部材が第１部材の回転方向以外の動きを規制するものとして機能する。また、第２部材は、ドアストッパーを床に置いたりする際の持ち手として機能する。【００１７】
また、ドアの底面と床面との隙間が大きすぎて、第１部材の半径以上の隙間がある場合には、第１部材に十分な摩擦力が得られないことから、第２部材の背面を床面に接触させて寝かせて使用することで、ドアの底面と床面との隙間に差し込んで、ドアを任意の位置で制止させることができる。この場合、第２部材がドアストッパーとして機能する。さらに、寝かせた場合に床面と第２部材の背面に形成された凹凸の板状体とによっても、大きな摩擦力を得ることができる。【００１８】
また、第１部材と第２部材とを第３部材によって連結することで、第２部材に対する第１部材の変位方向が規制されることから、第１部材の転がりを抑制することができる。【００１９】
なお、第２部材の連結孔は、第１部材を変位可能なあそびが形成されていることで、第１部材の転がり範囲を大きくとりつつも、転がりを抑制することができるので、寝かせて使用する場合でも、第１部材が床面の邪魔にならないように第１部材を適宜位置させることができる。【００２０】
また、本発明によれば、ドアストッパーは、略半楕円形状を呈する第２部材に対して、第１部材よりも大きい径の略半楕円形状を呈する空隙を有することから、かかる空隙部分に第１部材を回転自在に収容することで、立てて使用したときでも、第１部材に十分な摩擦力を生じさせることができる。【００２１】
（４）前記第１部材の径は、前記空隙の前記略半楕円形状の径よりも小さいことを特徴とするドアストッパー。【００２２】
本発明によれば、第１部材は回転自在に第２部材に収容される。なお、前記第２部材の側面は、略三角形状又は略台形形状を呈しており、前記第１部材が位置する面の２角がともに鋭角であることで、第２部材の側面は略三角形状又は略台形形状を呈しており、第１部材が位置する面の２角がともに鋭角（０＜角度＜９０°）であることから、中心点方向に頂角が位置することになる。第１部材が位置する面の１角が直角や鈍角であるときは、ドアストッパーのバランスを維持できずに立てて使用することが難しくなるおそれもあることから、鋭角とすることでバランスを維持してドアストッパーが倒れないようにすることができる。
【発明の効果】
【００２３】
以上説明したように、本発明によれば、床面がフローリングやタイル又は薄目のカーペット等で、ほこりに覆われていたり濡れたりしていない場合には、第１部材のボール型のドアストッパーをドアに向けて置けば、ドアが閉まろうとしても、ボールと床面及びドアとの接点に生ずる大きな摩擦力とボールが元の形状に戻ろうとする反発力とにより、ドアを留め置くことができる。また、このような仕組みであるからドアの底面と床面との隙間が殆どなく、クサビを差し込むことができないドアに対しても有効である。一方、床面が若干濡れていたりほこりに覆われていたり、また分厚いカーペットが敷かれ、ボール型のドアストッパーではスリップしてしまうケースには、クサビ型のドアストッパーを使用すればよい。
【発明を実施するための最良の形態】
【００２４】
以下、本発明の実施の形態を、図面を参照しながら説明する。【００２５】
図１は、本発明の実施の形態に係るドアストッパー１を示す概略図であって、（ａ）は側面図、（ｂ）は平面図である。【００２６】
ドアストッパー１は、第１の部材としてのボール２と、第２の部材としてのクサビ３と、第３の部材としてのシャフト４と、から構成される。【００２７】
ボール２は、反発力に富み、接したものとの間に大きな摩擦力を生ずる材質よりなり、例えば、ＥＰＤＭ、ポリブタジエンゴム等の材質を主とし、直径５ｃｍ弱、重さ５０ｇ弱の球体である。ボール２の中心軸には中心軸孔５が形成され、中心軸孔５にシャフト４が挿入される。【００２８】
クサビ３は、両側面に連結孔が形成され、背面に凹凸が形成され、ボール２を回転自在に収容する空隙６が略半楕円形状に形成されている。クサビ３は、図２において、中心点を同じとする２つの半楕円形状が表れており、横長の半楕円形状の外枠を呈し、横長の半楕円よりも径が小さい半楕円形状の内枠によって空隙を形成している。また、クサビ３の底面は、その空隙とは反対側に突出した足３ａが形成され、クサビ３を立てた場合においても自立できるようにしている。また、空隙部分にはボール２が位置することから、ボール２と足３ａとにより、自立できるようにしている。このようにドアストッパー１が自立できることから、ドア前に置いたときや収納時に、よりコンパクトで邪魔にならない。【００２９】
また、クサビ３の両側面には足３ａと同方向に外部に向かって突出した手３ｂが形成され、クサビ３よりも小さいクサビ形状を呈している。手３ｂの部分の先端は、クサビ３本体の部分の先端より薄くなっているので、ドアと床のすき間がより狭い所でも、クサビ３の先端ではなく手３ｂの先端によってドアストッパーとして機能させて対応することができる。【００３０】
図２は、本発明の実施の形態に係るドアストッパー１の使用例を示す図である。【００３１】
フレーム７を介して連結したドアストッパーに柄８やヒモ等を取り付けることで、腰をかがめずに立ったままでも操作がし易いことから、健常者のみならず身障者や車イスの付き添い者が手動の開き戸ドアを通る際にも役立つ。【００３２】
図３は、本発明の実施の形態に係るドアストッパー１を示す概略図であって、（ａ）は背面図、（ｂ）は側面図である。【００３３】
背面には、滑り止めのための凹凸が形成される。【００３４】
図４は、本発明の実施の形態に係るドアストッパー１の使用例を示す図であって、（ａ）は立てて使用する場合、（ｂ）は寝かせて使用する場合を示す。【００３５】
立てて使用する場合は、直径５ｃｍのボール２でドアの底面と床面との隙間が０〜３０ｍｍに対応可能である。また、内開きのドアの場合は、部屋面のドア側にドアストッパー１を置くだけで、ドアを閉めたままのロック状態にすることができるという利点も有する。【００３６】
特に、一般的な家屋では、個々の部屋に鍵がついていることが殆どなく、着替え等をするときに一時的に人が入って欲しくない場合でも、ドアをロックすることができなかったが、かかるドアストッパー１によれば、部屋外からドアを開けることができないので、安心して用をたすことができる。無理にドアを開けようとしても、ボールに大きな力がかかるだけであるが、ボールを強く押せば押すほど強力な摩擦力と反発力が生じるので、ドアを任意の位置で制止させることができる。【００３７】
図５は、本発明の実施の形態に係るドアストッパー１を示す図であって、（ａ）は底面図、（ｂ）は左側面図、（ｃ）は正面図、（ｄ）は右側面図、（ｅ）は背面図、（ｆ）は平面図である。
【産業上の利用可能性】
【００３８】
本発明に係るドアストッパーは、ドアの底面と床面との隙間や床面の状態に制約されることなく、安全性にも配慮したものとして有用である。
【図面の簡単な説明】
【００３９】
【図１】本発明の実施の形態に係るドアストッパーを示す概略図である。
【図２】本発明の実施の形態に係るドアストッパーの使用例を示す図である。
【図３】本発明の実施の形態に係るドアストッパーを示す概略図である。
【図４】本発明の実施の形態に係るドアストッパーの使用例を示す図である。
【図５】本発明の実施の形態に係るドアストッパーを示す図である。
【符号の説明】
【００４０】
１  ドアストッパー
２  ボール（第１部材）
３  クサビ（第２部材）
４  シャフト（第３部材）
５  中心軸孔
６  空隙
７  フレーム
８  柄
【図１】
2008129721.tif 000003
【図２】
2008129721.tif 000004
【図３】
2008129721.tif 000005
【図４】
2008129721.tif 000006
【図５】
2008129721.tif 000007
【国際調査報告】
2008129721.tif 000008
2008129721.tif 000009